Podtech/llm-jp-corpus-v4-ja_patent huggingface dataset:
(57)【要約】【課題】据付、移動が簡単に出来る移動式便器を提供する。【解決手段】貯水部を設けた便器の排水口に排水ポンプを接続し、排水ポンプの吸い込み口直前に攪拌具を設けることにより排便物を流動化し、排水ポンプの排水圧を下げると共に便器に接続する排水管を細くすることで移動、据付を容易としたこと特徴とする移動式便器。【選択図】  図１
2006255372.tif 000002
【特許請求の範囲】
【請求項１】
貯水部を設けた便器の排水口に排水ポンプを接続し、排水ポンプの吸い込み口直前に攪拌具を設けることにより排便物を流動化し、排水ポンプの排水圧を下げると共に便器に接続する排水管を細くすることで移動、据付を容易としたこと特徴とする移動式便器。
【発明の詳細な説明】
【技術分野】
【０００１】この発明は、据付、移動を容易にした移動式便器に関するものである。
【背景技術】
【０００２】  老化、及び、疾病等のために紙おむつ、尿瓶、等の器具がある。ベッドに装備されるトイレがある。
【発明の開示】
【発明が解決しようとする課題】
【０００３】  紙おむつ、尿瓶、等は介護が必要である。又そこから発生する排便物の処理は想像以上に大変な仕事であり、介護される人にとっても尊厳が失わるという問題がある。又洗浄用の水を充分使用することが出来ないという欠点もある。一方、ベッドに装備される従来のトイレの排水用配管は内径６０ｍｍ以上のものが一般的であり  又、細くても高圧に耐えるホースが必要となるため、施工には専門業者の手が必要になり移動することも簡単ではない。本発明は、これらの問題を解決するためになされたものである。
【課題を解決するための手段】
【０００４】  貯水部を設けた便器の排水口に排水ポンプを接続し、排水ポンプの吸い込み口直前に攪拌具を設けることにより排便物を流動化し、排水ポンプの排水圧を下げると共に便器に接続する排水管を細くすることで移動、据付を容易としたこと特徴とする移動式便器。
【発明の効果】
【０００５】  固形物である排便物を攪拌具によって攪拌し、流動化してから排出するので、供給する一回のシャワー水が５リットル以上であれば排水の粘度の上昇は無視できる範囲でおさまる。したがって高圧ポンプは必要なく洗濯機等に使われる市販の給水ポンプ程度の圧力でも十分であり安全である。（ホース長さ５ｍ以下、排出口の揚程１ｍ以下の場合）又、排水管は内径１６ｍｍ以下の市販のビニールホースで対応出来る。ビニールホースによる配管は誰でも出来るので、ベッドに又は個室に便器の据付が容易になり移動も簡単に出来る。
【発明を実施するための最良の形態】
【０００６】  以下、本発明の実施の形態について説明する。
貯水部（２）に排水ポンプ（４）を接続し排水ポンプの吸い込み口直前に攪拌具（３）を設けた装置を準備する。底部に常に一定量の水（７）を溜めるため貯水部は大きくとり、常時一定量の水を貯水部に確保するために液面を検出するセンサー（６）を設け、排水ポンプの作動を制御する。貯水量が定値より多い時のみ回転羽根が作動し数秒後に排水ポンプが作動する仕組みにする。つまり洗浄用の給水が開始した時点で攪拌具と排水ポンプが順次作動することになる。
排便後ウオッシュレット等によりシャワーすると貯水室の液面が上昇する。このとき液面センサーが感知し攪拌具が作動し、続いて排水ポンプが作動する。シャワーによる放水量を一定にしておけば、放水停止で液面が下がりセンサーの信号で攪拌具と排水ポンプが停止する。ビニールホース（５）内の洗浄も兼ねてシャワーによる放水量は充分とること、またこの発明では回転式攪拌具を採用しているが、攪拌具の回転数は、外径８０ｍｍとした場合１４００ｒｐｍ以上が好ましい。
【図面の簡単な説明】
【０００７】
【図１】  本発明の移動式便器の側面図。
【符号の説明】
【０００８】  １  便器
２  貯水部
３  攪拌具
４  排水ポンプ
５  ビニールホース
６  液面センサー
７  水
【図１】
2006255372.tif 000003
(57)【要約】【課題】掃除をする場所は広い場所だけでなく、狭い隙間、低い隙間等いろいろな場所があり、掃除機の吸い口もいろいろな形状の物があるが、掃除をする場所により、その都度吸い口を交換する必要があり作業性が悪かった。【解決手段】吸い口１の端に継ぎ手２を設けることで図５ｂの吸い口より体高を低く、図５ｃの吸い口より前後の幅を狭くすることができ、吸い口１が横向きから左前方にリモートコントロールにより手元のレバー５を握ることで回転し縦向きになり、放すことで元に戻り状況により形状を変化させる事で吸い口を交換することなく従来製品より使いやすくする。【選択図】    図１
2006255373.tif 000002
【特許請求の範囲】
【請求項１】
吸い口とチューブの接続が端に位置し接続部を中心に左前方に回転し、その回転をリモートコントロールする機能を設けたことを特徴とする掃除機の吸い口。
【請求項２】
前記機能は、ワイヤーで駆動することにより、吸い口部分が接続部を中心に左前方に回転することを特徴とする請求事項１記載の掃除機の吸い口。
【発明の詳細な説明】
【技術分野】
【０００１】本発明は、掃除機等に用いる先端部分の吸い口機構に関するものである。
【背景技術】
【０００２】従来の掃除機の吸い口は図５ｂ、図５ｃに示すように吸い口の中心上部または後部にチューブが取り付けされたものである。
【発明の開示】
【発明が解決しようとする課題】
【０００３】しかしながら、以上の技術によれば、図５ｂの吸い口は上側にチューブが取り付けされており吸い口の体高が高く、低い部分は入り難く、図５ｃの吸い口は後側にチューブが取り付けされており低い部分は入り易いが、幅の狭い部分は入り難い為、図４のような他の吸い口と交換をする必要があった。そこで、この発明は、掃除中の吸い口の交換をする事無く効率よく掃除ができる吸い口を提供することを課題とする。
【課題を解決するための手段】
【０００４】以上の課題を解決する為に、吸い口とチューブの接続が端に位置し回転とリモートコントロール機能を設けたことを特徴とする掃除機の吸い口。また、第二発明は、第一発明のリモートコントロールを手元により回転角度調整ができるようにした吸い口である。
【発明の効果】
【０００５】第一発明により吸い口の体高、幅が狭くでき、第二発明により手元で吸い口の角度をリモートコントロールできる吸い口にした事により、今までの吸い口同様掃除ができ、吸い口１の形状により低い部分の掃除も容易にでき、レバー５を握る事により吸い口１本体が継ぎ手２を中心に左前方に回転移動しチューブ３と一直線状になり狭い部分の掃除も吸い口を交換する事なく掃除ができ、またレバー５を戻す事により吸い口１に内蔵されたリターンスプリング図２の８により吸い口１が元に戻り、作業を中断することなく掃除ができるのである。
【発明を実施するための最良の形態】
【０００６】図１の実施形態では、  吸い口１に接続されている継ぎ手２は、左側で説明をしているが方向は左右どちらでも良い。  ワイヤーとレバーにより、吸い口１をコントロールするが、モーターによるコントロールでもよい。  リモートコントロールは他の吸い口にも応用できる。本発明は、以上述べた実施例に限定されるものではない。
【図面の簡単な説明】
【０００７】
【図１】  本発明の一実施例を示す斜視図
【図２】  本発明の動作部を示す断面図
【図３】  本発明の作動状態を示す図
【図４】  本発明の他の実施例を示す図
【図５】  本発明の他の実施例を示す斜視図
【符号の説明】
【０００８】１  吸い口
２  継ぎ手
３  チューブ
４  グリップ
５  レバー
６  ジャバラホース
７  掃除機本体
８  リターンスプリング
９  インナーワイヤー
１０  アウターワイヤー
ａ    省略した部分
ｂ  継ぎ手が上側の吸い口
ｃ  継ぎ手が後側の吸い口
【図１】
2006255373.tif 000003
【図２】
2006255373.tif 000004
【図３】
2006255373.tif 000005
【図４】
2006255373.tif 000006
【図５】
2006255373.tif 000007
(57)【要約】【課題】支柱の中程に靴べらを内蔵したステッキを提供する。【解決手段】ステッキ支柱に組み込んである収納部のネジを回して開け、内に収納されている靴べらを取り出し、逆さにして靴べら根元に取り付けてある支柱部分を手で握り靴を履く際の補助用具。【選択図】  図１
2006255375.tif 000002
【特許請求の範囲】
【請求項１】
靴べらの根元に支柱の端を取り付け、持ち手を長くした靴べら部分を収める収納部を支柱に設けた靴べら付きステッキ。
【発明の詳細な説明】
【技術分野】
【０００１】  本発明は、支柱の中ほどに靴べらを組込み、ネジを戻すことにより簡単に靴べらを取り出すことが出来るステッキに関するものである。
【背景技術】
【０００２】  従来高齢の方などは、ステッキと別に靴を履く為の靴べらを持ち歩いていた。
【発明の開示】
【発明が解決しようとする課題】
【０００３】  そのため次のような問題点があった。
（イ）携帯用の靴べらはポケットに入るよう小さいものばかりで、靴を履く際に足腰を折り曲げて使わねばならず不便であった。
（ロ）特に高齢の方や足腰の弱い人には折り曲げるのは大変足腰に負担の掛る作業で有った。
本発明は、以上の問題点を解決するためになされたものである。
【課題を解決するための手段】
【０００４】  ステッキ本体の支柱上部に靴べらを収納出来る収納部を設け、収納部のネジを戻すだけで中に収めてある靴べらを簡単に取り出すことが出来る、取り出した靴べらの根元をステッキ支柱の端に取り付けてある為その支柱部分が靴べらの持ち手に成る靴べら付きステッキである。
【発明の効果】
【０００５】  取り外した靴べらの支柱を握るため持ち手を長く使え、足腰を伸ばしたまま靴を履く事が出来る。
【発明を実施するための最良の形態】
【０００６】  以下、本発明の実施の形態について説明する。
（イ）支柱（１）の上部を切断し、靴べら収納部（２）を設ける。
（ロ）収納部（２）は、ネジＡ（４）及びネジＢ（５）を回すことにより上下に取り外す事ができ内に収めてある靴べら（３）を取り出す事ができる。
本発明は、以上の構成によりなっている。
本発明を使用するときは、取り出した靴べら（３）を逆さに持ち、支柱（１）を手で持ち靴を履く際に補助用具として使用する。
【図面の簡単な説明】
【０００７】
【図１】本発明の靴べら収納部分を上下に外した状態の斜視図
【図２】本発明の靴べら収納部分をセットしてステッキとしての側面図
【図３】本発明の靴べら収納部分の断面図
【図４】本発明の使用状態図
【符号の説明】
【０００８】  １  ステッキ支柱部
２  靴べら収納部
３  靴べら
４  収納部ネジ部分Ａ
５  収納部ネジ部分Ｂ
６  把手部
７  石突部
８  靴
【図１】
2006255375.tif 000003
【図２】
2006255375.tif 000004
【図３】
2006255375.tif 000005
【図４】
2006255375.tif 000006
(57)【要約】【課題】  従来、枕を使用する際に横向きに寝ると、耳が塞がれ音声が聞こえにくい事と長時間の使用では耳が痛くなるなどの問題を解決する物を提供する。【解決手段】  本発明は、四角の枕各六面の中心部に、縦横に貫通しかつ外側へ花弁状に一定の厚さ分傾斜を持たせたラッパ状の開口部（２）を設ける。内部には適度の柔軟性のある素材を充填し開口部がつぶれて通気性、通音性が損なわれないように保つ強度を有する。以上が、本発明の構成である。【選択図】    図２
2006255370.tif 000002
【特許請求の範囲】
【請求項１】
正六面体四角形の枕（１）の内面側の中心部を四角形の開口とし、かつ外側へ花弁状に一定の厚さ分傾斜を持たせたラッパ状の開口部（２）を設け、この開口部が縦横に貫通し、通気性と通音性の機能を持たせたことを特徴とするトンネル式枕。
【発明の詳細な説明】
【技術分野】
【０００１】  本発明は枕に関するものであって、その使用勝手を向上するために四角形の各面に縦横に貫通した開口部を設けることによって、この枕を使用する時に音声を聞取りやすくするとともに共に通気性もよくなる構造となっている。
【背景技術】
【０００２】  従来、枕を使用する際に横向きに寝ると、耳が塞がれ音声が聞こえにくい事と長時間の使用では耳が痛くなるなどの問題があった。（特許文献１）
【特許文献１】実開昭６２−１５２７５号公報
【発明の開示】
【発明が解決しようとする課題】
【０００３】  （イ）長時間の使用は頭の重みで耳が押され苦痛であった。
（ロ）寝ながらテレビを見るときなど横になるため枕を使用すると片方の耳が押さえられ音楽などは音質が劣化し、さらに通気性も悪いため使用時に不快なことがあった。
【課題を解決するための手段】
【０００４】  本発明は、四角の枕各六面の中心部に、縦横に貫通しかつ外側へ花弁状に一定の厚さ分傾斜を持たせたラッパ状の開口部（２）を設ける。内部には適度の柔軟性のある素材を充填し開口部がつぶれて通気性、通音性が損なわれないように保つ強度を有する。以上が、本発明の構成である。
【発明の効果】
【０００５】  横に寝るときに耳の部分が花弁状かつラッパ状に丸みを帯びた開口部に当たり、耳が圧迫されることが少ない。又テレビや音楽を聴く時も開口部からの通音で聞こえが良く、従来の物に比較し大変音質もよく通気性と共に快適になった。
【発明を実施するための最良の形態】
【０００６】以下、本発明の実施例を図面に基づいて説明する。
（イ）正四角形の枕の各六面中心部には花弁状かつラッパ状の開口部（２）を設ける。縦横に貫通するための穴として正四角筒状（３）にした柔軟性のある布素材等で花弁状に縫製する。
（ロ）耳の部分を圧迫しないようにやわらかい布などの素材を使用し、開口部には花弁状かつラッパ状で角が立たないよう丸みをつける。
（ハ）本発明は夜の就寝に使用するよりも横になってテレビを見る時などに主眼を置いている。固めの枕とするためにそば殻などを使用することにより熱の吸収効果を上げることが出来る。
本発明は以上のような構造で、これを使用する時は通常の枕と同様に使用する。
【実施例１】
【０００７】  図１は本発明の実施例形状で、通気性のある布等を使用しており、花弁状かつラッパ状開口部（２）を設け、この部分には丸みをつけ皮膚への当たりを和らげる。筒状部（３）も同じ素材で縫製し、内部にはそば殻等を使用しその充填量によって硬さを調整する。
【産業上の利用可能性】
【０００８】  本発明は、これから長寿人口の増加が見込める日本においてお年寄りなどが一寸横になりたい時や多少耳が遠くなった人に使ってもらうと便利な品物である。
高齢化社会に向けて需要が見込める製品である。
【図面の簡単な説明】
【０００９】
【図１】本発明のトンネル枕の平面図
【図２】本発明の実施例を示す斜視図
【図３】本発明の実施例を示す断面図
【符号の説明】
【００１０】  １  枕本体
２  開口部
３  筒状部
【図１】
2006255370.tif 000003
【図２】
2006255370.tif 000004
【図３】
2006255370.tif 000005
(57)【要約】【課題】    本発明は、衣服を、主に洗濯乾燥時にハンガーに掛ける際に、服のずり落ち首周りの延びや肩の型崩れを防ぐ、ハンガーに装着するカバーを提供する。【解決手段】    輪になった伸縮性のある布状のものに一部穴を開け、ハンガーのフック部分を通し、ハンガー全体に装着したものに衣服を掛けることにより、襟や肩の型崩れを防ぐことを特徴とするハンガーカバー。【選択図】    図１
2006255361.tif 000002
【特許請求の範囲】
【請求項１】
輪になった伸縮性のある布状のものに一部穴を開け、ハンガーのフック部分を通し、ハンガー全体に装着したものに衣服を掛けることにより、襟や肩の型崩れを防ぐことを特徴とするハンガーカバーである。
【発明の詳細な説明】
【技術分野】
【０００１】  本発明は、衣服を、主に洗濯乾燥時にハンガーに掛ける際に、服のずり落ち、首周りの延びや肩の型崩れを防ぐ、ハンガーに装着するカバーに関するものである。
【背景技術】
【０００２】  従来、衣服、主に洗濯乾燥時の衣類は、すでに家庭にあるプラスティックや木製のハンガーを使って掛けていた。
【発明の開示】
【発明が解決しようとする課題】
【０００３】  そのそのために、次のような問題点があった。
ハンガーに直に衣服を掛けるため、特に洗濯後は服の重みとハンガーの傾斜によって、襟部分が延びたり、肩がずり落ちて型崩れを起こしていた。
本発明は、以上の問題点を解決しようとするものである。
【課題を解決するための手段】
【０００４】  輪になった伸縮性のある布状のものに一部穴を開け、ハンガーのフック部分を通し、ハンガー全体に装着する。ハンガーを包む形で数個所仮止めする。これに衣類を掛けるものである。以上を特徴とするハンガーカバーである。
【発明の効果】
【０００５】  肩部全体を覆ったカバーと衣類の摩擦によって滑り止めとなり、襟や肩が延びず、型崩れを防ぐことができる。また、家庭にあるハンガーに容易に着脱でき、汚れた場合取り外して洗濯することができる。
【発明を実施するための最良の形態】
【０００６】以下、本発明の実施の形態を説明する。
（イ）輪になった伸縮性のある布（１）、例えばナイロン製ニットに、穴（２）を開けハンガー（３）のフック部分を通す。
（ロ）ハンガー全体に布（１）を装着し、簡単に着脱できるよう数個所ホック（４）又は紐でハンガーを包む形でとめる。
本発明は、以上の構成よりなっている。
これを使用するときは、上記のカバーを装着したハンガーを衣服に通し掛ける。その際ホック（４）又は紐等でとめられているため、布（１）はハンガー（３）から外れることがない。服の肩口をハンガーに合わせて掛けても布同士の摩擦によって滑り止めとなり、襟や肩が延びず、型崩れを防ぐことができる。
また、家庭にあるハンガーに容易に着脱でき、汚れた場合取り外して洗濯することができる。
【図面の簡単な説明】
【０００７】
【図１】本発明の装着図
【図２】本発明の斜視図
【図３】本発明の使用状態を示す斜視図
【符号の説明】
【０００８】１  布
２  穴
３  ハンガー
４  ホック
【図１】
2006255361.tif 000003
【図２】
2006255361.tif 000004
【図３】
2006255361.tif 000005
(57)【要約】【課題】  杖の握り部にコインホルダーと掛け部を設けた杖であって、手が不自由な障害者が硬貨の出し入れに便利な硬貨収納式杖を提供する。【解決手段】  杖の握り部に収容部を設け、中に仕切り板を複数枚設け、フタは開閉式にし、握り部の端には掛け部の溝を設ける、買い物の支払いの時、手元で硬貨の出し入れをし、買い物袋は掛け部に掛けて使用することを特徴とする硬貨収納式杖。【選択図】  図１
2006255363.tif 000002
【特許請求の範囲】
【請求項１】
杖の握り部に収容部を設け、中には仕切り板を複数枚設け、フタは開閉式にし、握り部の端には掛け部の溝を設け、買い物の支払いの時、手元で硬貨の出し入れをし、買い物袋は掛け部に掛けて使用することを特徴とする硬貨収納式杖。
【発明の詳細な説明】
【技術分野】
【０００１】  本発明は、杖の握り部に硬貨を収容するコインホルダーと掛け部付き杖に関するものである。
【背景技術】
【０００２】  従来の杖には、収容部がなくお金は財布に入れてポケットやバック等に入れて別に携帯するものであった。
【発明の開示】
【発明が解決しようとする課題】
【０００３】  そのために、次のような問題点があった。
財布を利用してのお金の出し入れは、財布を紛失したり、財布から硬貨を出すときに取り落として紛失することがある。
手足が不自由な障害者には杖を持ちながら財布からお金を出し入れしなければならないので、お金の出し入れが不便であった。
本発明は以上の問題点を解決しようとするものである。
【課題を解決するための手段】
【０００４】    杖の握り部に硬貨収容部と掛け部を設け、収容部のフタは開閉式である。
【発明の効果】
【０００５】  本発明は、杖を持ちながらの硬貨の出し入れを杖の上部の手元でできるようにし、硬貨の紛失や、手が不自由な障害者が支払いをする場合に、硬貨の出し入れの不便さがない。さらに手荷物や買い物袋を杖の掛け部に掛けることができる。
【発明を実施するための最良の形態】
【０００６】  以下、本発明の形態を説明する。
（イ）杖（７）の上端に設けられた握り部（２）の内部に、硬貨の収容部（１）を設ける。
（ロ）収容部（１）は、内部に複数枚の仕切り板（５）を設ける。
（ハ）収容部（１）の上面は開口されて、その開口部に蝶番（６）を介して開閉するフタ（３）を設ける。
（ニ）握り部（２）の一端に、掛け部（４）の切り溝を設ける。
（ホ）フタ（３）の上淵に爪（８）を設け、爪を受けるための受け部（９）を容器の上縁に設ける。
本発明は、以上の構成よりなっている。
本発明を使用するときは、収容部（１）に硬貨を入れる。このとき仕切り板（５）を設けているので、種類別に整理して入れる。通常は、フタを閉じて杖の握り部として使用し違和感がない。
買い物等で支払いの際に、フタ（３）を開けて収容部（１）内部の硬貨の出し入れをする。
買い物袋は、掛け部（４）の切り溝に掛ける。
【図面の簡単な説明】
【０００７】
【図１】本発明の正面図
【図２】本発明の斜視図
【図３】本発明の断面図
【符号の説明】
【０００８】１  収容部
２  握り部
３  フタ
４  掛け部
５  仕切り板
６  蝶番
７  杖
８  爪
９  受け部
【図１】
2006255363.tif 000003
【図２】
2006255363.tif 000004
【図３】
2006255363.tif 000005
(57)【要約】      （修正有）【課題】  従来のコルセットは、上部肩用、腹巻用、腰巻用の3種類に分類し、各部所に対する矯正・保護の役割を果たしてきたが、複数のコルセットを別々に用意するためのコストが高くなり、使用者の負担が大きかった。また、装着時間がかかっていた。【解決手段】  上部肩用１と腰用のコルセット２を、弓形のプラスチックの板３をもって、１つに結合する。また、幅広のゴム４を併用し、弾力をもたせることによって矯正及び背筋を伸ばす効果を高める。【選択図】      図１
2006255365.tif 000002
【特許請求の範囲】
【請求項１】
肩用コルセットと腰用のコルセットを、弓形のプラスチック板をもって結合させると共に幅広のゴムを併用し弾力性を持たせた身体用コルセット。
【発明の詳細な説明】
【技術分野】
【０００１】  従来の身体用コルセットは、上部肩用と腰用の二部門に分かれて使用しているがこれを１つに結合する。つまり、従来コルセットは上・中・下と分かれて各部で使用されていたが、これらを一体化するための身体用コルセットに関するものである。
【背景技術】
【０００２】  従来のコルセットは３種類に分類していたが、上部肩用と腹巻用と腰巻用の３種類で各部所に対する矯正・保護の役割を果たしてきた。
【発明の開示】
【発明が解決しようとする課題】
【０００３】  そのため次のような問題点があった。
複数のコルセットを別々に用意しなければならないのでコストが高くなり、使用者の負担が大きかった。また、別々に使用するときは、装着時間がかかっていた。本発明は以上の問題点を解決するためのものである。
【課題を解決するための手段】
【０００４】  肩用コルセットと腰用のコルセットを、弓形のプラスチック板をもって結合させると共に幅広のゴムを併用し弾力性を持たせた身体用コルセット。
【発明の効果】
【０００５】  本発明は上下二種類のコルセットを一体化することで、正常な歩行への是正を促す。さらに、別々なコルセットを用意する必要もないので、コスト負担にもならず装着時間も短縮できる。
【発明を実施するための最良の形態】
【０００６】  以下、本発明の実施の形態について説明する。
（イ）背中に当てる長方形状の背中当て板（３）を設け一端の両側に腰ベルト（２）を設ける。
（ロ）背中当て板（３）に肩を通すための通孔部（１１）を設けた帯状の肩掛けベルト（１）を左右一対に設ける。
（ハ）背中当て板（３）の下部にタテ方向に骨板ミゾ（３１）を設ける。
（二）腰ベルト（２）と肩掛けベルト（１）の先端にはベルト（２）（１）を互いに固着するための面テープ（２１）（１２）を設ける。
（ホ）背中当てた板（３）はゴム（４）の素材を用いて弾力性を持たせる。
本発明は以上の構造になっていてこれを使用するときは、シャツを着た上に背中当て板（３）を背骨に当て、その後、通孔部（１１）に両腕を通して肩掛けベルト（１）に設けた面テープ（１２）を止めて、その後、腰ベルト（２）の面テープ（２１）を身体に巻いて止める。したがって、背中当て板（３）は丁度リュクサックを背負った状態で背中に固定されている。
【図面の簡単な説明】
【０００７】
【図１】本発明の正面図
【図２】本発明の裏面図
【図３】本発明の側面図
【符号の説明】
【０００８】        １．肩掛けベルト
２．腰ベルト
３．背中当て板
４．ゴム
【図１】
2006255365.tif 000003
【図２】
2006255365.tif 000004
【図３】
2006255365.tif 000005
【手続補正書】
【提出日】平成17年7月11日(2005.7.11)
【手続補正２】
【補正対象書類名】特許請求の範囲
【補正対象項目名】全文
【補正方法】変更
【補正の内容】
【特許請求の範囲】
【請求項１】
市販の肩用コルセットと腰用のコルセットを、弓形のプラスチック板をもって結合させると共に幅広のゴムを併用し弾力性を持たせた部分。  プラスチック版の部分には、装着した場合に背骨にあたる部分が発生し行動に支障をきたすため、プラスチックの製弓形の中心下部より６ｃｍの上部より幅２．６ｃｍの溝を長さ１８ｃｍの溝を設けたもの。なお、同部分については、布でふさぐことで直に肌に触れないようにしたもの。
(57)【要約】      （修正有）【課題】椅子取りゲームを専用のカードと小物を使って卓上で同様の遊びが出来るように改良したゲーム。【解決手段】一般的に椅子取りゲームと呼ばれる遊びを色分けした専用のカードと小物を使って遊べるようにしたゲーム。【選択図】図１
2006255368.tif 000002
【特許請求の範囲】
【請求項１】
一般的に椅子取りゲームと呼ばれる遊びを色分けした専用のカードと小物を使って卓上で遊べるように改良したゲームである。
【発明の詳細な説明】
【技術分野】
【０００１】  この発明は、椅子取りゲームをカードと小物を使って卓上で出来るように改良したゲームに関する。
【背景技術】
【０００２】  椅子取りゲームは、椅子を数脚とプレーヤーが、その廻りグルグルと回れる広さ、自由にオン、オフにできる音楽が必要で、椅子の捕り合いをするために子供達には危険が伴う。しかし、スペースを取らず、安全に子供が参加できる卓上版椅子取りゲームが市場に存在しない。
【発明の開示】
【発明が解決しようとする課題】
【０００３】そこで、この発明は、椅子取りゲームをスペース、椅子、音楽を必要とせず、卓上で安全に遊べるようにカード化したゲームを提供することを課題とする。
【課題を解決するための手段】
【０００４】  以上の課題を解決するために、この発明は、椅子の代わりにソフトビニールなど柔らかい素材の動物やキャラクター人形などを使用し、音楽の代わりに専用のカードを使うことを特徴とするカードゲームです。
【発明の効果】
【０００５】  この発明により、椅子取りゲームと同様の内容を、椅子、スペース、音楽を必要とせず、卓上で安全に遊べるようになります。
【発明を実施するための最良の形態】
【０００６】  この発明の一実施形態を、図１に示します。図１はカードの一イメージで、特にデザインなどに規定はありません。形は図１のように四角いトランプ型でも丸メンコ型でも統一されていれば構いません。表は片面同色５枚のカードを一組として人数分。すなわち６人用なら６色に色分けされた３０枚、８人用なら８色で４０枚のカードです。トランプのように配られたカードが他の人には判らないように裏は全て同色で同じデザインでなければなりません。
他に用意するものは、ソフトビニールなどの柔らかい素材でできた動物やキャラクターの人形とスコアー表です。
この人形が椅子取りゲームの椅子の代わりになるのでプレーする人数分より１個少なく用意します。図２のスコアー表にゲーム毎に負けた人を記入します。
ゲームの遊び方は、プレーヤーはテーブルに着き、人数よりひとつ少ない数の人形をテーブルの中央の置きます。人数分×同色５枚のカードをシャッフルして各プレーヤーに５枚づつ伏せて配り、他の人に見せないようにします。５枚全て同じ色にするのが目的なので、掛け声に合わせて各自の要らないカードを同時に右手の人に渡します。そして左手の人から来たカードを自分の手に加えます。何度かカードを回しているうちに５枚のカードが全て同色に揃えば、テーブル上の人形を取ります。ここで大切なのは、自分のカードが同色に揃えば当然、人形を取る権利がありますが、自分のカードが揃わなくても、誰かが揃って人形を取れば、その時点で全員に人形を取る権利が生じる事です。本来の椅子取りゲームでは、音楽が止まれば椅子に座れますが、ここでは、自分もしくは自分以外の誰かのカードが揃い人形を取るというタイミングが、椅子取りゲームでいう音楽が止まるということになります。一番遅くて、人形を取れなかったものが負けとなります。【０００７】「実施形態の効果」
カードの色を合わせるだけなので視覚的に判断が容易で、ソフトビニールなどの人形なので危険もなく、テーブル上だけで簡単に椅子取りゲームと同じ遊びができる。
反射神経を養い、娯楽として家庭、学校、職場、旅行中など、場所を選ばず多人数で遊べます。【０００８】「他の実施形態」
図１の実施形態では、参考として豚の絵になっているが、絵でも図形、数字、文字でも構わない。サイズもトランプ程度か、もしくは子供に扱い易いように一回り小さくても良い。
柔らかい素材の人形も、動物やキャラクターの人形に限らず、片手で掴める程度で、形状、硬さ、重さに危険がなければなんでも構わない。
【産業上の利用可能性】
【０００９】幼稚園や子供達の集まる場所、友人、家族でも利用できる小型ゲームなので、玩具屋、駅の売店、コンビニ、木屋、土産物屋、バラエティーショップなどの小さなスペースで販売が可能である。
【図面の簡単な説明】
【００１０】
【図１】この発明の一実施形態を示す図である。
【図２】この発明の一実施形態を示す図である。
【図１】
2006255368.tif 000003
【図２】
2006255368.tif 000004
(57)【要約】      （修正有）【課題】局部床義歯維持装置の着脱の困難さと、口を開いたとき目立つ鉢巻き状の維持金具等の問題を解決するため、人それぞれ違う歯牙や歯肉の形状に合わせて作られる局部床義歯に対応し設計製作を容易にし、安価な局部床義歯を提供する。【解決手段】局部床義歯隣接面維持装置の基本原型であるアンダーカット維持部１と、Ｕ字型バネネピン３のスライド管２と、Ｕ字型バネネピン３と、Ｕ字型バネネピン３とアンダーカット維持部１の連結部４と、着脱用球形取っ手５は樹脂製であり、アンダーカット維持部１を患者の歯牙の隣接面や歯肉のアンダーカットの形状に合わせ設計改造した後ニーズに応じた金属に歯科技工技術で変換し、局部床義歯隣接面維持装置を成す。また鉢巻き上の金属部も無く金属の露出部分を最小に留めることが出来、審美性も高い。歯科技工技術があれば使い方は無限に有る。【選択図】  図１
2006255366.tif 000002
【特許請求の範囲】
【請求項１】
歯牙の隣接面、唇面と頬面の歯肉のアンダーカットを利用した局部床義歯の装着維持装置であり、歯牙の隣接面と歯肉のアンダーカットを義歯の装着維持に利用している事。
【請求項２】
局部床義歯隣接面維持装置の基本原型が樹脂製である事。
【請求項３】
装置の基本原型は樹脂製であるので安価に量産することができ、したがって低価格で商品化が可能な事。
【発明の詳細な説明】
【技術分野】
【０００１】本発明は、歯牙の隣接面、唇面と頬面の歯肉のアンダーカットを利用し、局部床義歯を固定又は外すことができるものである。
【背景技術】
【０００２】従来は、歯牙の隣接面を利用する局部床義歯維持装置は無かった。
【特許文献】
【０００３】
【発明の開示】
【発明が解決しようとする課題】
【０００４】既存の局部床義歯維持装置は着脱が面倒で、見た目にも優れないという難点があった。本発明は、これらの課題を解消するためになされたものである。
【課題を解決するための手段】
【０００５】この装置の基本原型は樹脂で作られ、装着する患者の歯牙や歯肉の状態に合わせて技術者が容易に設計改造することができ、これを金属に変換し義歯に組み込み製品とする。
【発明の効果】
【０００６】まず従来品のように口を開けたとき鉢巻状のバネが見えず審美的である。又、樹脂から金属に変換する際に選ぶ金属をニーズに合わせて決められる事や、それぞれ違う患者の歯牙、歯肉の状態やアンダーカットに使用することができることなど、基本原型が樹脂製である為、義歯の設計製作に対し容易で柔軟性が高い。さらに基本原型が樹脂製なので量産商品化の際の低価格設定が可能な事等が発明の効果である。
以下、本発明の実施の形態について説明する。
（イ）．図１、図２、図３で示した装置本体はＵ字型バネピン３の抜け留めネジ６以外は樹脂で形成された製品であり使用時これがニーズに合った金属に変換される。
（ロ）．図４、図５、図６で示した使用状態はほんの一例であります。患者の歯牙や歯肉やアンダーカットの状態は人それぞれですが製作者である歯科技工士等が基本である使用状態の一例を観れば使い方を理解することができ義歯設計が容易で柔軟性があり使い方は無限である。
（ハ）．図４で示した様に金属の露出部が極めて小さく出来る。
【実施例１】
【０００７】先の【０００６】（イ）（ロ）（ハ）の記述に同じである。
【図面の簡単な説明】
【０００８】
【図１】本発明の鳥瞰透視図である。
【図２】本発明の平面透視図である。
【図３】本発明の断面透視図である。
【図４】本発明の使用状態の一例を示す、患者の歯牙欠損部に装着状態の局部床義歯隣接面維持装置の鳥瞰図である。
【図５】図４の側面図である。
【図６】図４の平面透視図である。
【符号の説明】
【０００９】１  アンダーカット維持部
２  Ｕ字型バネピン３のスライド管
３  Ｕ字型バネピン
４  Ｕ字型バネピン３とアンダーカット維持部１の連結部
５  着脱用球形取手
６  Ｕ字型バネピン３の抜け留めネジ
７  局部床義歯
８  患者の健康な歯牙
【図１】
2006255366.tif 000003
【図２】
2006255366.tif 000004
【図３】
2006255366.tif 000005
【図４】
2006255366.tif 000006
【図５】
2006255366.tif 000007
【図６】
2006255366.tif 000008
(57)【要約】【課題】  本発明は、花瓶のような細長い器に、花が思い通りの角度に留まらなかったり、短い花を花瓶に生けようとすると、花が花瓶の中に入ってしまい難しいことをクリアーしようと考えた脚長剣山である。【解決手段】  プラスチックで作った本体（１）のなかに、再利用のガラス玉（３）を詰め、その上部に剣山（２）を取り付けた「脚長剣山」である。又、花瓶の長さに対応できるように、脚の部分は継ぎ足して調節できるよう工夫した。これにより、１輪の花でも、短い花でも、花瓶のような形状の器に、思い通りの角度に生けることができる。【選択図】  図１
2006255364.tif 000002
【特許請求の範囲】
【請求項１】
プラスチックの筒状の本体（１）の中に、ガラス玉（３）を入れ（重りとして）その上に剣山（２）をのせた、「脚長剣山」である。また、プラスチックの筒を継ぎ足して、長さを調節できるようにしたものである。
【発明の詳細な説明】
【技術分野】
【０００１】  本発明は、プラスチックの筒状の本体の中に、重しとして、再利用のガラス玉を詰め、その上部に剣山を取り付けた、花瓶の中に入れて使う「脚長剣山」である。
【背景技術】
【０００２】  花瓶に花を生けるとき、花が思い通りの角度に留まらなくて苦労する。特に本数が少なかったり、花瓶の口が大きかったり、花が短いと難しい。そこで、剣山が長くて、花瓶の口近くまで伸びたらと考えた。短い花でも、１本でも、これなら決まる。そして、花瓶の大きさ、長さに対応出来るように、足継ぎも考えた。
【発明の開示】
【発明が解決しようとする課題】
【０００３】  既製の剣山はあるが、花器のような浅く広いものには良いけど、花瓶のような細長い器には使いずらい。また、花が短いと花瓶の中に入ってしまったり、長さが釣り合わないことがある。そこで、プラスチックの脚をつけて、剣山を上に伸びさせた。その際、プラスチックだけだと軽すぎるので、中に再利用のガラス玉を入れ、花瓶の長さも様々あるので、長さが継ぎ足せるように工夫した。
【課題を解決するための手段】
【０００４】  本発明は、プラスチックの筒状の本体の中に、重しとして再利用のガラス玉をつめ、上部に剣山を取り付けた、花瓶の中に入れて使う、「脚長剣山」である。また、脚の長さを調節するために、プラスチック筒状の足継ぎも工夫した。
【発明の効果】
【０００５】細長い花瓶でも、剣山が延びているので、花が留めやすい。
花が短くても、剣山が上に伸びているので、花瓶に生けることができる。
少ない花でも、花瓶の中で、思い通りに決めることが出来る。
花瓶の長さに合わせて、脚の長さを調節できる。
【発明を実施するための最良の形態】
【０００６】  プラスチックで作った本体（１）の中に、再利用のガラス玉（３）を詰め、その上部に、剣山（２）を取り付けた、「脚長剣山」である。また、脚の部分は、継ぎ足して（４）長さを調節できるようにした。【０００７】  以下、添付図面に従って、実施形態を説明する。
１は、プラスチックで作られた本体である。
２は、剣山である。
３は、再生ガラスで作ったガラス玉である。【０００８】４は、プラスチックで作った、筒状の足継ぎである。
５は、本体の剣山を外して、はめ込む接続部分である
６は、継ぎ足した場合、剣山を上に移動したものである。
７は、再生ガラスを使ったガラス玉。（重し）
【図面の簡単な説明】
【０００９】
【図１】  本発明の実施形態を示した、脚長剣山の説明図である。
【符号の説明】
【００１０】    １  プラスチックで作った脚長剣山の本体
２  剣山
３  再生ガラスで作った重しのガラス玉
４  長さを継ぎ足す部分
５  本体にはめ込む、接続部分
６  剣山
７  再生ガラスで作った、重しのガラス玉
【図１】
2006255364.tif 000003
(57)【要約】【課題】加圧空気の除湿・冷却・不純物除去・減菌工程を、単一の装置により処理し、小型化する技術開発である。加圧空気の除湿冷却は水の蒸発潜熱を利用して処理する、更に、光触媒の親水性と浄化作用と、加圧空気の配管通路の断面積変化による流速変化がもたらす複合作用を利用して、従来の技術で出来なかった装置の単一化と小型化を解決させることである。その技術を確立して多用途への普及促進をし、省コスト、省電力、ノンフロンによる環境負荷の低減を可能とする。【解決手段】加圧空気の流速を配管径の変更により目的の流速に制御する技術の利用。流速の早い所で壁面衝突を利用して不純物の除去をする▲２▼、更に流速の遅い所で加圧空気の除湿と冷却を▲５▼・▲６▼により水の蒸発潜熱を利用して▲７▼の効果をえる。更に、装置の小型化に関しては２・３による反応促進により解決する。【選択図】図２
2006255682.tif 000002
【特許請求の範囲】
【請求項１】
自然冷媒を利用した加圧空気の除湿・冷却処理装置の壁面に光触媒をコーティングして、光触媒の親水性を利用して、装置の効率改善により小型化した、自然冷媒を利用した加圧空気の除湿・冷却処理装置。
【請求項２】
加圧空気配管の断面積を変化させ、空気の流速が変化する現象を利用して、加圧空気の壁面衝突と滞留時間を長くする構造を組み合わせた加圧空気の処理装置。
【請求項３】
加圧空気の減菌と処理装置の壁面汚れを、光触媒が持つ減菌作用と自浄作用を利用した、加圧空気処理装置。
【発明の詳細な説明】
【技術分野】
【０００１】本発明は、加圧空気に含まれる特定不純物の除去と、除湿・冷却を一工程で処理を可能とした大容量の加圧空気処理装置の技術にかんするものである。  また、本発明は加圧空気の処理に水の蒸発潜熱と、光触媒、触媒用照明、配管断面積変化による流速制御等の組み合わせにより、コンパクト設計で高効率のシステム構成の加圧空気処理装置である。更に、ノンフロンとなっているため環境負荷の低減と省エネルギーが実現できる装置となっている。
【背景技術】
【０００２】従来、加圧空気に含まれる特定不純物の除去と、除湿・冷却は加圧空気が大容量の場合、アフタークラー、ダストフィルター、オイルセパレータ、冷凍式エアードライヤー等の個別の機器を利用して処理をしていた。この場合、高額な初期設備のコストと、定期整備維持のコスト、更に、フロン冷媒漏れ事故による温室効果ガスの大気拡散などの問題をかかえていた。又、水の蒸発潜熱を利用した加圧空気除湿冷却装置として公開された技術があるが、大面積の蒸発面が必要なため装置が巨大化する。そのため屋外設置場所の確保や、屋内設置場所が確保出来ない問題があり普及に至っていない（例えば未審査請求・無効特許出願文献１参照）本発明はそれらの問題を解決させる技術である。
【未審査請求・無効特許出願文献１】
特許公開  平１０−１７４８３６  公開日１９９８年６月３０日
【発明の開示】
【発明が解決しようとする課題】
【０００３】本発明が解決しようとする課題は、加圧空気の除湿・冷却、更に、不純物除去と、装置の浄化と加圧空気の減菌を単一装置で処理する技術である。更に、除湿・冷却に水の蒸発潜熱を利用し環境負荷を削減し、更に、光触媒と、配管断面積の変更で得られる加圧空気の流速変化の相乗効果を利用した表面積の拡大効果による装置の小型化である。
【課題を解決するための手段】
【０００４】（イ）冷却の方法は配管の外壁に水を噴霧し、水の蒸発潜熱により配管外壁を冷却する方法である。本発明は外壁に光触媒をコーティングし、従来の線上落下水流をその光触媒の親水性を利用して、外壁に水の連続薄膜落下水流を形成させ、蒸発効率の増大を図り、外壁の面積を削減する。（小型化技術）
（ロ）除湿の方法１は（イ）により得られた冷却熱を配管内壁へ伝達し、加圧空気に含まれる水分を結露させる方法であるが、光触媒のコーティングを内壁にも施し、配管内照明を照射して、従来の方法では粒状結露となる水分を、連続した面状結露として流下速度を増大させる。（小型化技術）
（ハ）除湿の方法２は（ロ）の光触媒のコーティング配管の断面積を増大させる方法により、加圧空気の流速を減速させ、滞留時間を長くして（ロ）の反応時間を増大させる。（小型化技術）
（ニ）不純物除去の方法は、小径配管より流速が増大した加圧空気を、大径配管の壁面に衝突させる方法による。瞬間的な膨張と、衝突により生じる瞬間流速ゼロによりこの問題が解決する。
（ホ）光触媒の浄化作用と減菌作用を利用するため、配管内部照射光源を設置する方法により、清潔な加圧空気とシステムの浄化の相乗効果を得る。
【発明の効果】
【０００５】本発明の効果は、従来の冷凍式エアードライヤーを使用しないで、その能力以上の加圧下露点が得られ、更に、冷凍式エアードライヤーが冷媒として利用している特定フロン、ＣＦＣ・ＨＣＦＣ等の冷媒ガス漏れによる、温室効果ガスの大気放散がない事が、最大の効果である。それを普及させる為には、投資効果メリットと、装置の複合処理能力、更に小型化が不可欠である。本発明はそれらの問題を解決出来る、優れた装置で先進性を兼ね備えた発明である。
【発明を実施するための最良の形態】
【０００６】加圧空気は、あらゆる製造業になくてはならない動力源である、その加圧空気に含まれる水分がもたらす影響は、機械の性能と、機能の維持に重大な問題を与えるその問題解決には除湿する必要がある。更に加圧空気は外気を圧縮して製造するため、外気温度プラス４０℃から１５０℃の温度上昇が避けられない、その温度低下のための冷却装置と、種々の加圧空気処理機器が必要となっている。具体的な最良の形態はプレス産業で使用されているエアープレスの加圧空気の除湿・冷却、又は、造船所の船舶塗装前処理工程でのスケール除去に使用されているショットブラストの加圧空気の除湿・冷却、更に、製造自動化ラインの各種アクチェータの動力源である加圧空気の除湿・冷却が考えられる。
【図面の簡単な説明】
【０００７】
【図１】除湿冷却装置の断面図。
【図２】除湿冷却装置の処理工程模式図
【符号の説明】
【０００８】１  大面積の加圧配管の断面図
２  外壁にコーティングした光触媒
３  内壁にコーティングした光触媒
４  小面積の加圧空気入り口の断面図
５  小面積の加圧空気出口の断面図
６  内部照明
７  水の噴霧管の断面図
８  外部照明（太陽光でも可）
９  水の噴霧状況
▲１▼  加圧空気入り口の状況（温度が高く、流速が早い）
▲２▼  壁面衝突して反転した加圧空気流
▲３▼  大面積配管内部の加圧空気流の状態（流速が遅い）
▲４▼  加圧空気出口の状況（流速が早い）
▲５▼  外壁噴霧水の流下状況
▲６▼  流下水の蒸発状況
▲７▼  内部結露水の流下状況
▲８▼  ▲１▼の加圧流の壁面衝突により発生する不純物の分離
▲９▼  内部滞留水と不純物のドレインポート
【図１】
2006255682.tif 000003
【図２】
2006255682.tif 000004
(57)【要約】【課題】設備機器の洗浄作業は、取外しや取付けの作業、分解作業、洗浄機材の運搬組立て、洗浄作業などその工程が多く、非常に手間がかかっていた。そこで、設備機器の設置現場において簡易に組立て分解ができ、移動可能なコンパクトで低コストの高圧洗浄装置を提供する。【解決手段】洗浄機材の移動の利便上、加圧ポンプと洗浄剤用タンクと水用タンク等がワンタッチ方式で簡易に取付け、取外しでき使用の利便上、水と洗浄剤とを切替えるため加圧ポンプの吸込み側とリリーフ側に取付けた切替えバルブと、を備えたことを特徴とする高圧洗浄装置である。【特許請求の範囲】
【請求項１】
加圧ポンプの吸水側に接続された洗浄剤用タンクと水用タンクと加圧ポンプ等をワンタッチ方式で簡易に取付け、取外し可能となる手段と、
を備えたことを特徴とする高圧洗浄装置。
【請求項２】
加圧ポンプの吸水側とリリーフ弁側の洗浄剤と水とを切替えるための切替え弁と、
を備えたことを特徴とする請求項１に記載の高圧洗浄装置。
【請求項３】
加圧ポンプの吸水側とリリーフ弁側の洗浄剤と水とを切替えるための切替え弁を、電動切換え弁及び電磁切替え弁等を用い手元スイッチにより切替え可能となる手段と、
を備えたことを特徴とする請求項１または、請求項２に記載の高圧洗浄装置。
【請求項４】
該送水用ホースの先端に取り付けられた噴射ノズルの開閉時に圧力センサースイッチによる加圧ポンプの運転と停止を自動制御可能と、なる手段を備えたことを特徴とする請求項１から３までのいずれかの項に記載の高圧洗浄装置。
【請求項５】
加圧ポンプの吐出側に接続された送水用ホースを該高圧洗浄装置の背面に取り付けたラック式自在リールを用いて巻取り可能となる手段と、
を備えたことを特徴とする請求項１から４までのいずれかの項に記載の高圧洗浄装置。
【発明の詳細な説明】
【技術分野】
【０００１】  本発明は、ビルなど建物のエアコン、換気扇等を、洗浄するための高圧洗浄装置に関する。
【背景技術】
【０００２】  従来より、エアコンや換気扇等の洗浄作業は、取り外して、分解して溶剤により高圧洗浄していた。分解した部品等を高圧洗浄するため加圧ポンプ、送水用ホース、給水用ホース、オーバーフロー用ホース、洗浄剤用の水槽と水用の水槽等を設置現場まで運搬し、組立てて洗浄作業を行っていた。洗剤洗浄と水洗いとをするため格水槽に吸水用ホースとオーバーフロー用ホースとを入れ替えて行っていた。
【発明の開示】
【発明が解決しようとする課題】
【０００３】  しかしながら、設備機器の取外しや取付けの作業、分解作業、洗浄機材の運搬組立作業、洗浄作業等その工程が多く、非常に手間がかかっていた。そこで、エアコンや換気扇等の設置現場において簡易に組立て分解ができ、移動可能なコンパクトで低コストの高圧洗浄装置を提供する。
【課題を解決するための手段】
【０００４】  この目的を達成するために、本発明による高圧洗浄装置は移動の利便上、加圧ポンプと、加圧ポンプの吸水用ホース側に接続された洗浄剤用タンクと水用タンクとを、簡易に取付け取外しができ、使用の利便上、洗浄剤用タンクと水用タンクからの洗浄剤と水とを切換えるための切替え弁と、を備えたことを特徴とする高圧洗浄装置である。
【発明の効果】
【０００５】  本発明による高圧洗浄装置は、装置が非常にコンパクトで簡易に取付け、取外しができ移動も可能である。また、洗剤洗浄と水洗いとを切換え弁の切替えで行えるので、作業効率がよく従来のような大規模工事等も不要で経費が低廉である。
【発明を実施するための最良の形態】
【０００６】  以下、本発明による高圧洗浄装置の実施例を図面によって説明する。【０００７】  図１は、本発明の装置の概念図を示す。即ち、洗浄剤Ａや水Ｂの水源から導出された配管４にはフィルター３が接続され、ある程度のゴミ類を除去できるようになっている。配管４は水用タンク２に、接続され、その上部で給水用ホース９が逆止弁付カプラー６で接続されている。オーバーフロー用ホース８はカプラー７で接続されている。逆止弁付カプラー６とカプラー７の脱着により吸水用ホース９とオーバーフロー用ホース８と水用タンク２とが簡易に取付け取外し可能である。洗浄剤用タンク１も同じである。【０００８】  加圧ポンプ１２の吸水口１０に、切替え弁１８が取付けられ、この切替え弁１８によって洗浄剤Ａと、水Ｂとを切り替え可能である。【０００９】  加圧ポンプ１２の吸水口１０に、電磁切替え弁１９を取付けて噴出ノズル１６の手元に取付けた、洗浄剤Ａと水Ｂの切替えスイッチ１７により、電磁切替え弁１９が作動し洗浄剤Ａと水Ｂとを、自動切替え可能である。【００１０】  切替え弁１８または１９を経て吸水された洗浄剤Ａ、水Ｂは、加圧ポンプ１２によって加圧され、吐出口１１に接続された送水用ホース１５を経て噴出ノズル１６より噴出され洗剤洗浄と水洗いとが可能である。【００１１】  加圧ポンプ１２の運転時にリリーフ弁１４より戻された余水は切替え弁１８によりオーバーフロー用ホース８を経て洗浄剤用タンク１または、水用タンク２に戻すことが可能である。【００１２】  運転時、加圧ポンプ１２のリリーフ弁１４より戻る余水は、加圧ポンプ１２のリリーフ弁１４に取付けられた電磁切換え弁１９を、噴出ノズル１６の手元に取付けた、洗浄剤Ａと水Ｂの切替えスイッチ１７で、自動切替えする事によりオーバーフロー用ホース８を経て洗浄剤用タンク１または、水用タンク２に戻すことが可能である。【００１３】  加圧ポンプ１２の吸水口側切換え弁１８に接続された吸水用ホース９とリリーフ弁側切換え弁１８に接続されたオーバーフロー用ホース８と吐出口１１に接続された送水用ホース１５は、カプラー７で接続されておりこのカプラー７の脱着により加圧ポンプ１２の簡易取り付け取外しが可能である。【００１４】  本装置の背面に取付けたラック付自在リール１３により送水用ホースの簡易巻取りが可能である。【００１５】  該ホースの先端に取り付けられた噴射ノズル１６の開閉により圧力スイッチ２０が作動して加圧ポンプ１２の運転と停止が自動制御可能である。【００１６】  車輪５と自在ブレーキ付キャスター２１の取付けにより屋内、屋外の移動が可能である。
【図面の簡単な説明】
【００１７】
【図１】  本発明による高圧洗浄装置の概略図を示す。
【符号の説明】
【００１８】１  水用タンク                        ２０  圧力センサースイッチ
２  洗浄剤用タンク                    ２１  自在ブレーキ付キャスター
３  フィルター
４  配管
５  車輪
６  逆止弁付カプラー
７  カプラー
８  オーバーフロー用ホース
９  吸水用ホース
１０  給水口
１１  吐出口
１２  加圧ポンプ
１３  ラック付自在リール
１４  リリーフ弁
１５  送水用ホース
１６  噴出ノズル
１７  水、洗浄剤、切替えスイッチ
１８  切替え弁
１９  電磁切替え弁
【図１】
2006255681.tif 000002